【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  少なくとも１個のアデニン塩基、少なくとも１個のグアニン塩基、少なくとも１個のシトシン塩基、および少なくとも１個のチミンまたはウラシル塩基を含む単離された核酸であって、その長さが少なくとも12塩基からなり、かつハイブリダイゼーション条件下で配列番号1、2、3、4、5、6、7、8、9、10、12、13、14、15、16、17、18、19、20、22、23、24、25、26、28、29、31、33、34、35、37、39、40、41、42、43、44、45、46、47、49、50、51、52、53、54、55、56、57、58、59または60に示される配列を有する第２核酸のセンス鎖またはアンチセンス鎖にハイブリダイズする、上記の単離された核酸。
【請求項２】  前記ハイブリダイゼーション条件が中程度にストリンジェントのハイブリダイゼーション条件である、請求項１記載の単離された核酸。
【請求項３】  前記ハイブリダイゼーション条件が高度にストリンジェントのハイブリダイゼーション条件である、請求項１記載の単離された核酸。
【請求項４】  長さが少なくとも５アミノ酸からなるアミノ酸配列をコードする核酸配列を含む単離された核酸であって、該アミノ酸配列が少なくとも３種の異なるアミノ酸残基を含み、かつ配列番号11、21、27、30、32、36、38、48、61または62に示される配列の連続した部分と同一である、上記の単離された核酸。
【請求項５】  配列番号1、2、3、4、5、6、7、8、9、10、12、13、14、15、16、17、18、19、20、22、23、24、25、26、28、29、31、33、34、35、37、39、40、41、42、43、44、45、46、47、49、50、51、52、53、54、55、56、57、58、59または60に示される配列と少なくとも60％同一である核酸配列を含む、単離された核酸。
【請求項６】  配列番号11、21、27、30、32、36、38、48、61または62に示される配列と少なくとも60％同一であるアミノ酸配列をコードする核酸配列を含む、単離された核酸。
【請求項７】  配列番号1、2、3、4、5、6、7、8、9、10、12、13、14、15、16、17、18、19、20、22、23、24、25、26、28、29、31、33、34、35、37、39、40、41、42、43、44、45、46、47、49、50、51、52、53、54、55、56、57、58、59または60に示される核酸配列を含む、単離された核酸。
【請求項８】  請求項１記載の核酸によりコードされるアミノ酸配列を含む、実質的に純粋なポリペプチド。
【請求項９】  配列番号11、21、27、30、32、36、38、48、61または62に示されるアミノ酸配列を含む、実質的に純粋なポリペプチド。
【請求項１０】  配列番号11、21、27、30、32、36、38、48、61または62に示される配列と少なくとも60％同一であるアミノ酸配列を含む、実質的に純粋なポリペプチド。
【請求項１１】  長さが少なくとも５アミノ酸からなるアミノ酸配列を含む実質的に純粋なポリペプチドであって、該アミノ酸配列が少なくとも３種の異なるアミノ酸残基を含み、かつ配列番号11、21、27、30、32、36、38、48、61または62に示される配列の連続したストレッチと同一である、上記のポリペプチド。
【請求項１２】  請求項１記載の単離された核酸を含有する宿主細胞。
【請求項１３】  真核細胞である、請求項１２記載の宿主細胞。
【請求項１４】  請求項１記載の核酸によりコードされるアミノ酸配列に対して特異的な結合親和性を有する抗体。
【請求項１５】  モノクローナルである、請求項１４記載の抗体。
【請求項１６】  ポリクローナルである、請求項１４記載の抗体。
【請求項１７】  多数のクローンを含んでなるcDNAライブラリーであって、各クローンが１つのcDNAインサートを含み、該多数のクローンの少なくとも約15％が前初期遺伝子由来のcDNAを含むものである、上記のcDNAライブラリー。
【請求項１８】  前記クローンの少なくとも約20％が前初期遺伝子由来のcDNAを含む、請求項１７記載のcDNAライブラリー。
【請求項１９】  前記クローンの少なくとも約25％が前初期遺伝子由来のcDNAを含む、請求項１７記載のcDNAライブラリー。
【請求項２０】  前初期遺伝子が最大限の電気痙攣発作に応答する前初期遺伝子である、請求項１７記載のcDNAライブラリー。
【請求項２１】  差引き型cDNAライブラリーである、請求項１７記載のcDNAライブラリー。
【請求項２２】  前記差引き型cDNAライブラリーがIEG-Reg cDNAライブラリーである、請求項２１記載のcDNAライブラリー。
【請求項２３】  前記差引き型cDNAライブラリーがIEG-Lg cDNAライブラリーである、請求項２１記載のcDNAライブラリー。
【請求項２４】  多数のクローンを含んでなるcDNAライブラリーに由来する単離された核酸であって、各クローンが１つのcDNAインサートを含み、該多数のクローンの少なくとも約15％が前初期遺伝子由来のcDNAを含むものである、上記の単離された核酸。
【請求項２５】  前初期遺伝子の核酸配列を含む、請求項２４記載の単離された核酸。
【請求項２６】  前初期遺伝子の核酸を取得する方法であって、
a)多数のクローンを含んでなるcDNAライブラリーを用意すること、ただし、各クローンが１つのcDNAインサートを含み、該多数のクローンの少なくとも約15％が前初期遺伝子由来のcDNAを含むものであること、
b)該cDNAライブラリーの少なくとも一部にプローブを接触させること、ただし、該プローブは前初期遺伝子由来の核酸配列を有する少なくとも１つの核酸を含むものであること、
c)該多数のクローンのうち１つのメンバーを、ハイブリダイゼーション条件下での該少なくとも１つの核酸の該メンバーへのハイブリダイゼーションに基づき選択すること、
を含んでなり、その際該メンバーが前初期遺伝子の核酸を含むものである、上記方法。
【請求項２７】  刺激に対するニューロンの前初期遺伝子応答性に欠陥がある動物において、該欠陥の影響を最小に抑えるための医薬製造における、請求項１記載の核酸の使用。
【請求項２８】  前記欠陥が前初期遺伝子の発現レベルの低下を含む、請求項２７記載の使用。
【請求項２９】  前記刺激が学習または記憶に影響を与えるものである、請求項２７記載の使用。
【請求項３０】  前記刺激が最大限の電気痙攣発作を含むものである、請求項２９記載の使用。
【請求項３１】  刺激に対するニューロンの前初期遺伝子応答性に欠陥がある動物において、治療上の有効量を投与して該欠陥の影響を最小限に抑えるための医薬製造における、請求項８記載の実質的に純粋なポリペプチドの使用。
【請求項３２】  刺激に対するニューロンの前初期遺伝子応答性に欠陥がある動物において、治療上の有効量を投与して該欠陥の影響を最小限に抑えるための医薬製造における、請求項１記載の核酸を含む細胞の使用。
【請求項３３】  刺激に対するニューロンの前初期遺伝子応答性に欠陥がある動物において、治療上の有効量を投与して該欠陥の影響を最小限に抑えるための医薬製造における、請求項１記載の核酸によりコードされるアミノ酸配列に対して特異的な結合親和性を有する抗体の使用。
【請求項３４】  前記欠陥が前初期遺伝子の発現レベルの増加を含む、請求項３３記載の使用。
【請求項３５】  前初期遺伝子の発現をモジュレートする化合物を同定する方法であって、
a)被験化合物に前初期遺伝子核酸を接触させること、
b)該被験化合物が前初期遺伝子核酸の発現に影響を与えるか否かを判定すること、
を含んでなり、その際、何らかの影響の存在により、該被験化合物は前初期遺伝子の発現をモジュレートする化合物であることが示される、上記方法。
【請求項３６】  前記前初期遺伝子核酸が配列番号1、2、3、4、5、6、7、8、9、10、12、13、14、15、16、17、18、19、20、22、23、24、25、26、28、29、31、33、34、35、37、39、40、41、42、43、44、45、46、47、49、50、51、52、53、54、55、56、57、58、59または60に示される核酸配列を含む、請求項３５記載の方法。
【請求項３７】  前記影響が前初期遺伝子核酸の発現の低下である、請求項３５記載の方法。
【請求項３８】  前記影響が前初期遺伝子核酸の発現の増加である、請求項３５記載の方法。
【請求項３９】  前初期遺伝子ポリペプチド活性をモジュレートする化合物を同定する方法であって、
a)被験化合物に前初期遺伝子ポリペプチドを接触させること、
b)該被験化合物が前初期遺伝子ポリペプチドの活性に影響を与えるか否かを判定すること、
を含んでなり、その際、何らかの影響の存在により、該被験化合物は前初期遺伝子ポリペプチド活性をモジュレートする化合物であることが示される、上記方法。
【請求項４０】  前初期遺伝子ポリペプチドが請求項１記載の核酸によりコードされるアミノ酸配列を含む、請求項３９記載の方法。
【請求項４１】  前初期遺伝子ポリペプチドが配列番号11、21、27、30、32、36、38、48、61または62に示されるアミノ酸配列を含む、請求項３９記載の方法。
【請求項４２】  前記影響が前初期遺伝子ポリペプチドの活性の低下である、請求項３９記載の方法。
【請求項４３】  前記影響が前初期遺伝子ポリペプチドの活性の増加である、請求項３９記載の方法。